(57)【要約】      （修正有）【課題】建物の外壁面の窓や扉の開口部に張っても風をはらんで破れること無く、室内側から窓や扉を開けた際にも塗装時の塗料の噴霧が開口部内へ入り込み付着することなく、さらに室内から外部への通風の遮断による室内の換気不良による事故の発生を防止するポリエチレン系養生材を提供する。【解決手段】建物の外壁１の塗装の際に、塗布した塗抹が通り抜けできない小さな孔、すなわち、例えば、直径１．０ｍｍの小径の孔の大きさから直径３．０ｍｍの孔の大きさの孔を、ポリエチレン系養生材フィルムの全面に無数に分散して穿孔する。この孔あきポリエチレン系養生材４のフィルムによって、外壁１の開口部３を覆い、ポリエチレン系養生材の内側に塗装時の塗料の塗抹が入り込まないようにし、風をはらんでもその約半量を通過せしめて、養生材自体の破損を減少させる孔あきポリエチレン系養生材１を成す。【選択図】図１
0003169667.tif 000002
【実用新案登録請求の範囲】
【請求項１】
塗料を塗布した際に生じる塗抹が通り抜けできない小さな孔をポリエチレン系養生材のフィルム全面に無数に分散して有することを特徴とする建物の外壁塗装時に外壁開口部を覆うための孔あきポリエチレン系養生材。
【考案の詳細な説明】
【技術分野】
【０００１】
この考案は建物の外壁の塗装などのやり直しを行う場合に、この塗装に先立って、外壁に設けられた扉や窓などの塗装を行わない開口部分をポリエチレンその他の合成樹脂系（これらを以下、「ポリエチレン系」という。）フィルムで被覆（このフィルムで被覆を以下、「養生」という。）する材料のポリエチレン系養生材、すなわち建物の外壁の開口部や非塗装部を覆って塗抹が非塗装部に付着しないように養生するためのポリエチレン系養生材に関する。
【背景技術】
【０００２】
従来、マンションなどの集合住宅やその他のビルあるいは一戸建ての住宅などは、それらの外壁が長期の使用で風雨や日光に曝されて劣化するので、これらの建物の外壁は一定の期間が経過すると、塗装のやり直しが行われている。
【０００３】
このような塗装のやり直しの際には、塗装に先立って窓や出入り口である扉などの開口部や塗装を行わないでおく非塗装部をポリエチレン系養生材で覆って、塗抹が非塗装部に付着しないように養生する。しかし、このようにポリエチレン系の養生材は窓や扉のように大きな面積からなる場合、風をはらんで破れることが多いので、その対策に腐心している。また、マンションや住宅などの改修時に、例えば窓をポリエチレン系養生材で養生した場合には、室内側から窓や扉を開けても、外にポリエチレン系養生材が張られているために通風が遮断され、室内の換気不良による事故が多発している。
【考案の概要】
【考案が解決しようとする課題】
【０００４】
本考案が解決しようとする課題は、建物の外壁面の窓や扉の開口部に張っても風をはらんで破れること無く、室内側から窓や扉を開けた際にも塗装時の塗料の噴霧による塗抹が開口部内へ入り込むことなく、さらに室内から外部への通風の遮断による室内の換気不良による事故の発生を防止し得るポリエチレン系養生材を提供することである。
【課題を解決するための手段】
【０００５】
上記の課題を解決するための本考案の手段は、請求項１の手段では、塗料を塗布した際に生じる塗抹が通り抜けできない小さな孔をポリエチレン系養生材のフィルム全面に無数に分散して有することからなる建物の外壁塗装時に外壁開口部を覆うための孔あきポリエチレン系養生材である。
【考案の効果】
【０００６】
本考案は、静電気を帯びやすいポリエチレン系養生材を使用して、外壁の塗装時の開口部を覆って、塗料を外壁に塗布したとき、ポリエチレン系養生材に無数の小さな通風孔をあけていても、塗抹の開口部側への飛散は、この孔あきポリエチレン系養生材の表面で、静電気により、塗抹は孔の周囲に捕捉されるので、孔を通ってポリエチレン系養生材の内側に入り込むことはなく、しかも、風は塗料のように孔に捕捉されることなく流通する。また、風をはらんでも、孔あきポリエチレン系養生材の風を受ける実質的な面積が各段に減少できるので、孔あきポリエチレン系養生材が風をはらんでも破れる割合が極めて低くなるなど、優れた効果を奏する。
【図面の簡単な説明】
【０００７】
【図１】集合住宅のベランダ側の掃き出し窓を養生する場合に、孔あきポリエチレン系養生材の周囲をガムテープで固定して、外壁塗装を準備した、掃き出し窓の周囲の塗装部の外壁を示す模式図。
【図２】本考案の孔あきポリエチレン系養生材を示す模式的平面図。
【考案を実施するための形態】
【０００８】
本考案を実施するための形態を図面を参照して以下に説明する。図１は集合住宅のベランダ２側の開口部３である掃き出し窓３ａを有する外壁１であり、この外壁１を塗り替えようとしている。そこで、この掃き出し窓３ａの周囲の外壁１に、ガムテープ６ａからなる固定部６で孔あきポリエチレン系養生材４を固定して掃き出し窓３ａの外側を覆って塗装の準備をしている。
【０００９】
図１に示す孔あきポリエチレン系養生材４は、図２に示すように，ポリエチレンフィルムからなり、例えば直径１．５ｍｍの孔５ａと直径３．０ｍｍの孔５ｂが縦横互い違いに配置されて開口されている。この場合、孔５すなわち孔５ａおよび孔５ｂの形状は、図２に示すような円孔とは限らない。孔の形状はどの様な形状であっても良い。また、孔の大きさは、３．０ｍｍ以下であればどの様な大きさであっても良い。
【００１０】
本発明の請求項１の実施の形態の手段では、建物の外壁１の新規の塗装時あるいは補修のための再塗装時において、塗料を塗布した塗抹が通り抜けできない大きさの孔５、すなわち直径３．０ｍｍ以下の大きさの孔５を全面に無数に分散して有する孔あきポリエチレン系養生材４のフィルムにより外壁１の開口部３を覆い、この開口部３から室内に塗料の塗抹が入り込まないようにするための孔あきポリエチレン系養生材１である。
【００１１】
本考案では、上記した実施の形態の手段では、孔あきポリエチレン系養生材４で塗装する外壁１の開口部３を覆って、塗装時の塗布した塗抹が室内に入り込まなくした上で、室内の換気を図れるものとしている。この場合の開口部３を覆った孔あきポリエチレン系養生材４が、風邪に煽られた際の状態、すなわち抵抗について以下に検証しておく。
【００１２】
この検証では、孔あきポリエチレン系養生材４にあけた孔５は円孔として行うものとする。例えば孔あきポリエチレン系養生材４は連続的な３ｍｍ×３ｍｍの面積当たりに１個の孔、すなわち直径１．５ｍｍの孔５ａまたは直径３．０ｍｍの孔５ｂを、縦横に交互に有しているとする。この場合の孔あきポリエチレン系養生材４の、孔５の部分を除く実質の面積と孔あきポリエチレン系養生材４の孔５を含めた全面積の比率を求めるものとする。
円の面積＝πｒ2（ただしｒは円の半径）であるので、３．０ｍｍ×３．０ｍｍの面積に直径１．５ｍｍすなわち半径０．７５ｍｍの孔５ａがある場合の孔５ａの部分の比率と３．０ｍｍ×３．０ｍｍの面積に直径３．０ｍｍすなわち半径１．５ｍｍの孔５ｂがある場合の孔５ｂの部分の比率の合計の比率Ｓｕｍは次式（１）である。
Ｓｕｍ＝〔｛（π×０．７５ｍｍ×０．７５ｍｍ）÷（３．０ｍｍ×３．０ｍｍ）｝＋｛（π×１．５ｍｍ×１．５ｍｍ）÷（３．０ｍｍ×３．０ｍｍ）｝〕÷２・・・（１）
式（１）より、孔５ａと孔５ｂとを合わせた部分の孔あきポリエチレン系養生材４のフィルム全体に占める比率Ｓｕｍは０．４９である。すなわち、孔あきポリエチレン系養生材４の実質的な風を受けるフィルムの部分の面積は約半分になっている。
【００１３】
他の例として、孔あきポリエチレン系養生材４は連続的な１．５ｍｍ×１．５ｍｍの面積当たりに１個の孔、すなわち直径１．０ｍｍの孔または直径１．５ｍｍの孔を、縦横に交互に有しているとする。この場合の孔あきポリエチレン系養生材４の、孔５の部分を除く実質の面積と孔あきポリエチレン系養生材４の孔５を含めた全面積の比率を求めるものとする。
円の面積＝πｒ2（ただしｒは円の半径）であるので、１．５ｍｍ×１．５ｍｍの面積に直径１．０ｍｍすなわち半径０．５ｍｍの孔５がある場合の孔５の部分の比率と１．５ｍｍ×１．５ｍｍの面積に直径１．５ｍｍすなわち半径０．７５ｍｍの孔５がある場合の孔５の部分の比率の合計の比率Ｓｕｍ2は次式（２）である。
Ｓｕｍ2＝〔｛（π×０．５ｍｍ×０．５ｍｍ）÷（１．５ｍｍ×１．５ｍｍ）｝＋｛（π×０．７５ｍｍ×０．７５ｍｍ）÷（１．５ｍｍ×１．５ｍｍ）｝〕÷２・・・（２）
式（２）より、直径１．０ｍｍの孔５と直径１．５ｍｍの孔５ｂとを合わせた部分の孔あきポリエチレン系養生材４のフィルム全体に占める比率Ｓｕｍ2は０．５７である。すなわち、この場合も孔あきポリエチレン系養生材４の実質的な風を受けるフィルムの部分の面積は約半分余になっている。
【００１４】
上記の２つの検証から、風をはらんでも孔あきポリエチレン系養生材４の風を受ける実質的な面積は、本考案の手段とすることで約半分に減少でき、孔あきポリエチレン系養生材４が風をはらんでも破れる割合を大きく減らすことができる。しかも、本手段の孔あきポリエチレン系養生材４を使用して、外壁１の塗装時の開口部３を覆った場合、本考案の手段の孔５の大きさを有する孔あきポリエチレン系養生材４とするとき、塗料を外壁１に塗布したとき、開口部３の孔あきポリエチレン系養生材４にその塗抹が飛散しても、この孔あきポリエチレン系養生材４の表面では、静電気により、塗抹は孔５の周囲に捕捉されて、ポリエチレン系養生材の内側に入り込むことはない。
【符号の説明】
【００１５】
１  外壁
２  ベランダ
３  開口部
３ａ  掃き出し窓
４  孔あきポリエチレン系養生材
５  孔
５ａ  小径の孔
５ｂ  大径の孔
６  固定部
６ａ  ガムテープ
７  直径１．５ｍｍの円
８  直径３．０ｍｍの円
【図１】
0003169667.tif 000003
【図２】
0003169667.tif 000004